(57)【要約】【課題】支持体からカバーを容易に取り外すことができるセンサ装置、照明器具、取り外し用治具、及び取り外し方法を提供する。【解決手段】センサ装置１は、支持体２及びカバー３を含む合成樹脂製のケース４と、ケース４に収納される基板５とを備える。支持体２は、矩形の対向部２１と、対向部２１の対向する二辺から突出する第１側壁部２２及び第２側壁部２３とを有する。カバー３は、矩形の底面部３１と、底面部３１の対向する二辺から突出する第１側面部３２及び第２側面部３３とを有する。第２側壁部２３は、解除部２３３を有する。解除部２３３は、第２突起が第２引掛部２３２から外れるように第２側壁部２３と第２側面部３３との間の間隔を広げる向きの力を、第２側壁部２３と第２側面部３３との少なくとも一方に作用させるように構成される。【選択図】図３
2018101550.tif 000002
【特許請求の範囲】
【請求項１】
合成樹脂からなるケースと、
前記ケースに収納される基板とを備え、
前記ケースは、前記基板を支持する支持体と、前記支持体に支持された前記基板を覆うように前記支持体に取り付けられるカバーとを含み、
前記支持体は、前記基板と対向する矩形の対向部と、前記対向部の対向する二辺から前記基板と反対側に突出する第１側壁部及び第２側壁部とを有し、
前記カバーは、前記基板と対向する矩形の底面部と、前記底面部の対向する二辺から前記基板側に突出する第１側面部及び第２側面部とを有し、
前記支持体及び前記カバーは、前記支持体に前記カバーが取り付けられた状態で、前記第１側壁部と前記第１側面部とが対向し、かつ前記第２側壁部と前記第２側面部とが対向するように構成され、
前記第１側壁部と前記第１側面部との一方には、他方側に突出する第１突起が設けられ、
前記第１側壁部と前記第１側面部との他方には、前記第１突起が引っ掛けられる第１引掛部が設けられており、
前記第２側壁部と前記第２側面部との一方には、他方側に突出する第２突起が設けられ、
前記第２側壁部と前記第２側面部との他方には、前記第２突起が引っ掛けられる第２引掛部が設けられており、
前記第２側壁部と前記第２側面部との一方は、解除部を有し、
前記解除部は、前記第２突起が前記第２引掛部から外れるように前記第２側壁部と前記第２側面部との間隔を広げる向きの力を、前記第２側壁部と前記第２側面部との少なくとも一方に作用させるように構成されている
ことを特徴とするセンサ装置。
【請求項２】
前記解除部は、前記第２側壁部と前記第２側面部との一方に設けられ、解除用治具が差し込まれる差込溝である
ことを特徴とする請求項１に記載のセンサ装置。
【請求項３】
前記解除部は、前記第２側壁部と前記第２側面部との一方に一体に形成された摘み片である
ことを特徴とする請求項１に記載のセンサ装置。
【請求項４】
請求項１〜３のいずれか１項に記載のセンサ装置と、
前記センサ装置を保持する器具本体とを備えている
ことを特徴とする照明器具。
【請求項５】
請求項２に記載のセンサ装置に用いられる取り外し用治具であって、
前記第１引掛部に差し込まれる第１差込片と、
前記差込溝に差し込まれる前記解除用治具としての第２差込片と、
前記第１差込片と前記第２差込片とを連結する連結片とを備えている
ことを特徴とする取り外し用治具。
【請求項６】
請求項２に記載のセンサ装置において前記支持体から前記カバーを取り外すための取り外し方法であって、
前記第１側壁部と前記第１側面部との間隔が広がるように前記第１引掛部に第１解除用治具を差し込むステップと、
前記第２側壁部と前記第２側面部との間隔が広がるように前記第２側壁部と前記第２側面部との間に前記解除用治具としての第２解除用治具を差し込むステップと、
前記差込溝の端縁に前記第２解除用治具の先端を接触させて当該先端を回転中心として前記第２解除用治具を回転させることで前記カバーから前記支持体を取り外すステップとを備えている
ことを特徴とする取り外し方法。
【発明の詳細な説明】
【技術分野】
【０００１】
本発明は、一般にセンサ装置、照明器具、取り外し用治具、及び取り外し方法に関し、より詳細には、物体を検知するためのセンサ装置、センサ装置を備えた照明器具、センサ装置に用いられる取り外し用治具、及びセンサ装置に使用される取り外し方法に関する。
【背景技術】
【０００２】
従来、天井面などに取り付けられる検知器が提供されている（例えば特許文献１参照）。特許文献１に記載の検知器は、天井面などに取り付けられたベース等に結合される本体と、感知部が搭載され本体に取り付けられるプリント基板と、感知部及びプリント基板を覆って本体に装着される保護カバーとを備える。すなわち、特許文献１に記載の検知器では、本体と保護カバーとで形成される空間内に、感知部が搭載されたプリント基板が収納される。
【先行技術文献】
【特許文献】
【０００３】
【特許文献１】特開平９−２９３１８１号公報
【発明の概要】
【発明が解決しようとする課題】
【０００４】
ところで、特許文献１に記載の検知器では、例えばプリント基板の不具合によってプリント基板を交換する場合もあり、そのため本体（支持体）から保護カバー（カバー）を容易に取り外せる構造が望まれていた。
【０００５】
本発明は上記課題に鑑みてなされており、支持体からカバーを容易に取り外すことができるセンサ装置、照明器具、取り外し用治具、及び取り外し方法を提供することを目的とする。
【課題を解決するための手段】
【０００６】
本発明の一態様に係るセンサ装置は、合成樹脂からなるケースと、前記ケースに収納される基板とを備える。前記ケースは、前記基板を支持する支持体と、前記支持体に支持された前記基板を覆うように前記支持体に取り付けられるカバーとを含む。前記支持体は、前記基板と対向する矩形の対向部と、前記対向部の対向する二辺から前記基板と反対側に突出する第１側壁部及び第２側壁部とを有する。前記カバーは、前記基板と対向する矩形の底面部と、前記底面部の対向する二辺から前記基板側に突出する第１側面部及び第２側面部とを有する。前記支持体及び前記カバーは、前記支持体に前記カバーが取り付けられた状態で、前記第１側壁部と前記第１側面部とが対向し、かつ前記第２側壁部と前記第２側面部とが対向するように構成されている。前記第１側壁部と前記第１側面部との一方には、他方側に突出する第１突起が設けられている。前記第１側壁部と前記第１側面部との他方には、前記第１突起が引っ掛けられる第１引掛部が設けられている。前記第２側壁部と前記第２側面部との一方には、他方側に突出する第２突起が設けられている。前記第２側壁部と前記第２側面部との他方には、前記第２突起が引っ掛けられる第２引掛部が設けられている。前記第２側壁部と前記第２側面部との一方は、解除部を有する。前記解除部は、前記第２突起が前記第２引掛部から外れるように前記第２側壁部と前記第２側面部との間隔を広げる向きの力を、前記第２側壁部と前記第２側面部との少なくとも一方に作用させるように構成されている。
【０００７】
本発明の一態様に係る照明器具は、上述のセンサ装置と、前記センサ装置を保持する器具本体とを備えている。
【０００８】
本発明の一態様に係る取り外し用治具は、上述のセンサ装置に用いられる。前記取り外し用治具は、前記第１引掛部に差し込まれる第１差込片と、前記差込溝に差し込まれる前記解除用治具としての第２差込片と、前記第１差込片と前記第２差込片とを連結する連結片とを備えている。
【０００９】
本発明の一態様に係る取り外し方法は、上述のセンサ装置において前記支持体から前記カバーを取り外すための方法である。前記取り外し方法は、３つのステップを備えている。１つ目のステップは、前記第１側壁部と前記第１側面部との間隔が広がるように前記第１引掛部に第１解除用治具を差し込むステップである。２つ目のステップは、前記第２側壁部と前記第２側面部との間隔が広がるように前記第２側壁部と前記第２側面部との間に前記解除用治具としての第２解除用治具を差し込むステップである。３つ目のステップは、前記差込溝の端縁に前記第２解除用治具の先端を接触させて当該先端を回転中心として前記第２解除用治具を回転させることで前記カバーから前記支持体を取り外すステップである。
【発明の効果】
【００１０】
本発明によれば、支持体からカバーを容易に取り外すことができる。
【図面の簡単な説明】
【００１１】
【図１】図１は、本発明の実施形態１に係るセンサ装置及び照明器具の斜視図である。
【図２】図２は、同上のセンサ装置の正面図である。
【図３】図３は、同上のセンサ装置の分解斜視図である。
【図４】図４Ａは、同上のセンサ装置の支持体の正面図、図４Ｂは平面図、図４Ｃは底面図、図４Ｄは右側面図である。
【図５】図５Ａは、同上のセンサ装置のカバーの正面図、図５Ｂは平面図、図５Ｃは底面図、図５Ｄは右側面図である。
【図６】図６は、同上のセンサ装置の断面図である。
【図７】図７Ａ及び図７Ｂは、同上のセンサ装置の要部を示す断面図である。
【図８】図８は、本発明の実施形態１の変形例に係るセンサ装置の支持体の斜視図である。
【図９】図９Ａ及び図９Ｂは、本発明の実施形態２に係るセンサ装置において支持体からカバーを取り外す手順を説明する断面図である。
【図１０】図１０は、本発明の実施形態３に係るセンサ装置において支持体からカバーを取り外す手順を説明する斜視図である。
【発明を実施するための形態】
【００１２】
以下、本発明の一実施形態について説明する。下記の実施形態１〜３は、本発明の様々な実施形態の一部に過ぎない。また、下記の実施形態１〜３は、本発明の目的を達成できれば、設計等に応じて種々の変更が可能である。
【００１３】
（実施形態１）
実施形態１のセンサ装置１及び照明器具１０について、図１〜図８を参照して説明する。本実施形態の照明器具１０は、例えば建物に設けられた階段の踊り場の壁面に設置される。なお、以下の説明では特に断りのない限り、図１〜図８に示す矢印により、センサ装置１及び照明器具１０の上下、左右及び前後の各方向を規定する。すなわち、照明器具１０が踊り場の壁面に設置された状態を正面から見て、鉛直方向（上下方向）を上下方向とし、左右方向を左右方向とし、壁面の法線方向を前後方向とする。ただし、これらの方向はセンサ装置１及び照明器具１０の使用方向を規定する趣旨ではない。また、図１〜図８に示す矢印は、単に説明を補助する目的で記載しているに過ぎず、実体を伴わない。
【００１４】
本実施形態の照明器具１０は、図１に示すように、光源ユニット１１と、器具本体１２と、センサ取付台１３と、センサ装置１とを備えている。
【００１５】
光源ユニット１１は、カバー１１１と、光源１１２とを備えている。
【００１６】
カバー１１１は、透光性を有する合成樹脂（例えば、ポリカーボネート樹脂、アクリル樹脂等）により、後面が開口した箱状に形成されている。カバー１１１は、左右方向に長い長尺状である。
【００１７】
光源１１２は、左右方向に長い平板状の実装基板を有している。実装基板の一面（前面）には、複数のＬＥＤ（発光ダイオード）が左右方向（実装基板の長手方向）に沿って等間隔に実装されている。
【００１８】
これらのカバー１１１及び光源１１２は、取付部材に取り付けられ、取付部材を介して器具本体１２に取り付けられる。取付部材は、左右方向に長い平板状の底板と、底板の幅方向（上下方向）における両端から後方に突出する一対の側板とで、左右方向から見た形状がＵ字状に形成されている。光源１１２は、取付部材の底板の一面（前面）に取り付けられる。カバー１１１は、光源１１２を覆うようにして取付部材に取り付けられる。取付部材には、制御ユニットと電源ユニットとが更に取り付けられる。
【００１９】
制御ユニットは、電源から電力が供給されることで動作し、センサ装置１から入力される検知信号（後述する）に応じて、光源１１２の点灯・消灯を制御するように構成されている。制御ユニットは、例えば、センサ装置１からの検知信号が入力されている状態では、光源１１２を点灯させるように指示する制御信号を電源ユニットに出力することにより、光源１１２を点灯させる。また、制御ユニットは、センサ装置１からの検知信号が入力されなくなってから所定の待機時間（例えば、数十秒）が経過すると、光源１１２を消灯又は調光させるように指示する制御信号を電源ユニットに出力することにより、光源１１２を消灯又は調光させる。
【００２０】
ここに、「点灯」とは、１００％の調光レベルで光源１１２を点灯させることをいい（つまり全点灯）、「調光」とは、０％よりも大きく、かつ１００％よりも小さい調光レベルで光源１１２を点灯させることをいう。つまり、本実施形態では、制御ユニットに検知信号が入力されなくなると、光源１１２が暗くなるように構成されている。
【００２１】
電源ユニットは、電源から供給される交流電力を直流電力に変換し、変換した直流電力を光源１１２に供給するように構成されている。また、電源ユニットは、制御ユニットからの制御信号に応じて、光源１１２に供給する直流電力を増減するように構成されている。電源ユニットは、例えば、制御ユニットから点灯を指示する制御信号が入力されると、光源１１２の点灯に必要な直流電力を光源１１２に供給する。また、電源ユニットは、制御ユニットから消灯を指示する制御信号が入力されると、光源１１２への直流電力の供給を停止する。
【００２２】
器具本体１２は、例えば金属板が曲げ加工されることで、前面が開口した長尺の箱状に形成されている。器具本体１２は、左右方向に長い平板状の背板と、背板の幅方向（短手方向）における両端からそれぞれ前方に突出する上板及び下板と、背板の長手方向における両端からそれぞれ前方に突出する左側板及び右側板とを有している。器具本体１２の背板には、複数の孔が左右方向に沿って設けられている。そして、器具本体１２は、踊り場の壁面から突出する複数のアンカーボルトをそれぞれ対応する孔に通した後、各アンカーボルトにナットを締め付けることで、壁面に固定される。
【００２３】
センサ装置１は、例えばミリ波帯の電波を媒体として物体の移動を検知するように構成された電波センサである。本実施形態では、センサ装置１は、周波数が２４〔ＧＨｚ〕の電波を媒体として物体の移動を検知する。また、本実施形態では、センサ装置１が検知対象とする物体は、例えば階段への出入口に設けられた扉、及び扉を開けて踊り場に出入りする人である。
【００２４】
ここに、本実施形態では、センサ装置１は、ドップラー効果を応用したドップラー式の電波センサであり、センサ素子６（図６参照）から送信される電波（送信波）と、センサ素子６で受信する電波（反射波）との周波数差を利用して物体の移動を検知する。センサ装置１は、図１に示すように、センサ取付台１３を介して器具本体１２の下板の左右方向における中央に取り付けられる。言い換えると、器具本体１２は、センサ取付台１３を介してセンサ装置１を保持するように構成されている。
【００２５】
センサ装置１は、図２及び図３に示すように、ケース４と、ケース４に収納される基板５とを備えている。ケース４は、例えばポリスチレン（polystyrene）、ポリプロピレン（polypropylene）、ＡＢＳ（Acrylonitrile Butadiene Styrene）等の合成樹脂により形成されている。ケース４は、基板５を支持する支持体２と、支持体２に支持された基板５を覆うように支持体２に取り付けられるカバー３とを含む。
【００２６】
支持体２は、後面が開口した箱状である。支持体２は、図４Ａ〜図４Ｄに示すように、対向部２１と、第１側壁部２２と、第２側壁部２３と、第３側壁部２４と、第４側壁部２５とを有している。対向部２１は、左右方向に長い平板状である。第１側壁部２２及び第２側壁部２３は、対向部２１の上下方向（短手方向）の両端から後方に突出している。第３側壁部２４及び第４側壁部２５は、対向部２１の左右方向（長手方向）の両端から後方に突出している。
【００２７】
対向部２１の前面における外周縁には、前方に突出する複数（図示例では７つ）の支持部２１１が周方向に沿って間隔を空けて設けられている（図４Ｂ参照）。複数の支持部２１１の各々の先端（前端）には段差が設けられており、これらの段差に基板５の周縁部を載せることにより支持体２に基板５が支持される。また、対向部２１の下側かつ左側の位置には、前後方向（対向部２１の厚み方向）に貫通する矩形の露出孔２１２が設けられている。この露出孔２１２は、支持体２に基板５を支持させた状態において、基板５の第２面５２に実装されたコネクタ７（後述する）と対向する位置に設けられている（図３参照）。したがって、支持体２に基板５を支持させた状態では、コネクタ７は露出孔２１２内に配置される。
【００２８】
第１側壁部２２の左側には、第１引掛部２２１が設けられている。第１引掛部２２１は、前後方向に長い矩形の溝である。支持体２にカバー３が取り付けられた状態では、カバー３の第１側面部３２に設けられた第１突起３２１（後述する）が第１引掛部２２１の前端縁に引っ掛かる。
【００２９】
第２側壁部２３には、小開口部２３１ａと大開口部２３１ｂとで構成される第１開口部２３１が設けられている。小開口部２３１ａは、上下方向から見た形状が矩形状であり、対向部２１に設けられた露出孔２１２と連続するように形成されている。大開口部２３１ｂは、上下方向から見た形状が矩形状であり、上下方向において小開口部２３１ａと連続するように形成されている。大開口部２３１ｂは、小開口部２３１ａよりも開口面積が大きい。小開口部２３１ａの右側には、第２引掛部２３２と解除部２３３とが左右方向に並ぶように設けられている。第２引掛部２３２は、後方から見た形状が矩形の溝であり、後端部において大開口部２３１ｂと連続するように形成されている。支持体２にカバー３が取り付けられた状態では、カバー３の第２側面部３３に設けられた第２突起３３２（後述する）が第２引掛部２３２の前端縁に引っ掛かる。解除部２３３は、左右方向に沿った断面形状が三角状の差込溝２３３０であり、支持体２からカバー３を取り外す際に後述の第２解除用治具９Ｂ（解除用治具）が差し込まれる。
【００３０】
カバー３は、支持体２と同様に、後面が開口した箱状である。カバー３は、図５Ａ〜図５Ｄに示すように、底面部３１と、第１側面部３２と、第２側面部３３と、第３側面部３４と、第４側面部３５とを有している。底面部３１は、左右方向に長い平板状である。第１側面部３２及び第２側面部３３は、底面部３１の上下方向（短手方向）の両端から後方に突出している。第３側面部３４及び第４側面部３５は、底面部３１の左右方向（長手方向）の両端から後方に突出している。
【００３１】
底面部３１の後面における外周縁には、後方に突出する複数（図示例では６つ）の支持突起３１１が周方向に沿って間隔を空けて設けられている（図５Ｃ参照）。これら複数の支持突起３１１は、支持体２にカバー３が取り付けられた状態において基板５の第１面５１に接触し、支持体２の複数の支持部２１１とともに基板５を支持するように構成されている（図６参照）。また、底面部３１の後面における中央寄りの位置には、左右方向に並べて配置された一対の突台部３１２が設けられている。これら一対の突台部３１２は、支持体２にカバー３が取り付けられた状態において基板５の第１面５１に実装されたセンサ素子６と対向する（図６参照）。
【００３２】
また、底面部３１の後面における一対の突台部３１２の右側には、前後方向（底面部３１の厚み方向）に凹む凹部３１４が設けられている。凹部３１４は、上下方向に長い矩形状であり、支持体２にカバー３が取り付けられた状態において、基板５に実装された赤外線受光素子８（後述する）と対向する。さらに、底面部３１の後面には、前後方向から見た形状が十字状であり、後方に突出する突起部３１３が設けられている。突起部３１３は、支持体２にカバー３が取り付けられた状態において、基板５の第２面５２に実装されたコネクタ７と前後方向に重なる。このように、突起部３１３の形状を十字状にすることにより、突起部の形状が角柱状である場合に比べて、強度を保ちながらも成形に必要な樹脂の量を少なくすることができる。
【００３３】
第１側面部３２は、第１突起３２１を有している。第１突起３２１は、第１側面部３２の内周面（下面）における左側で、かつ前後方向の中央寄りに設けられている。第１突起３２１は、支持体２にカバー３が取り付けられた状態で、支持体２の第１側壁部２２に設けられた第１引掛部２２１の前端縁に引っ掛けられる。
【００３４】
第２側面部３３は、第２開口部３３１と、第２突起３３２とを有している。第２開口部３３１は、上下方向から見た形状が矩形状であり、支持体２に設けられた大開口部２３１ｂと開口面積がほぼ等しい。したがって、支持体２にカバー３が取り付けられた状態では、第１開口部２３１の大開口部２３１ｂと第２開口部３３１とが上下方向において重なる。第２突起３３２は、第２側面部３３の内周面（上面）における右寄りの後端部に設けられている。第２突起３３２は、支持体２にカバー３が取り付けられた状態で、支持体２の第２側壁部２３に設けられた第２引掛部２３２の前端縁に引っ掛けられる。ここに、第１突起３２１と第２突起３３２とは、前後方向において同じ位置で、かつ底面部３１の中心に対して点対称な位置に設けられている。
【００３５】
第３側面部３４及び第４側面部３５の各々の後端部には、外向き（左向き又は右向き）に突出する矩形の取付片３４１，３５１が設けられている。これらの取付片３４１，３５１は、センサ装置１をセンサ取付台１３に取り付ける際に用いられる。
【００３６】
基板５は、図３に示すように、左右方向に長い平板状のプリント配線板であり、第１面５１と第２面５２とを有している。基板５の前面となる第１面５１には、センサ素子６と赤外線受光素子８とが左右方向に並べて実装されている。センサ素子６は、第１面５１の左右方向における中央寄りに位置し、赤外線受光素子８は、第１面５１の左右方向における右寄りに位置している（図６参照）。基板５の後面となる第２面５２には、外部からの給電を受けるためのコネクタ７が実装されている。コネクタ７は、第２面５２の左右方向における左側で、かつ下側に位置している（図３参照）。
【００３７】
センサ素子６は、電波を送信する送信アンテナと、電波を受信する受信アンテナとを有している。このように、送信アンテナと受信アンテナとが一体に構成されている場合、送信アンテナと受信アンテナとの電界結合が強く、送信アンテナから送信される電波が受信アンテナに直接入射する可能性がある。本実施形態では、送信アンテナと受信アンテナとの電界結合を弱めるために、カバー３の底面部３１においてセンサ素子６と対向する位置に一対の突台部３１２を設けている。この場合、一対の突台部３１２の各々と、送信アンテナ又は受信アンテナとの電界結合が強くなることで、送信アンテナと受信アンテナとの電界結合を弱めることができる。ただし、この場合には、比誘電率が相対的に低い合成樹脂（例えばＡＢＳ樹脂など）によりカバー３が形成されていることが好ましい。
【００３８】
コネクタ７は、外部からの給電を受けるための受電側コネクタであり、電線を介して外部電源に電気的に接続された給電側コネクタが電気的に接続されることで給電される。コネクタ７は、センサ装置１が組み立てられた状態において、支持体２の対向部２１に設けられた露出孔２１２内に配置される。したがって、作業者は、露出孔２１２を通して露出するコネクタ７に対して給電側コネクタを接続することになる。
【００３９】
赤外線受光素子８は、施工者等によって操作されるリモコンからの赤外線信号を受信するように構成されている。赤外線信号には、センサ装置１の機能に関する設定内容（例えば、電波センサの受信感度等）が含まれている。本実施形態では、カバー３の底面部３１において赤外線受光素子８と対向する部位に凹部３１４を設けることで、当該部位の厚みを薄くしており、これによりリモコンからの赤外線信号を受信しやすくなっている。
【００４０】
次に、センサ装置１の組立手順について説明する。支持体２の対向部２１と基板５の第２面５２とが対向するように基板５の向きを調整して基板５を支持体２に支持させる。このとき、基板５は、対向部２１から突出する複数の支持部２１１が第２面５２の周縁部に接触することによって、対向部２１との間に間隔を空けた状態で支持体２に支持される。そして、支持体２にカバー３を取り付けることで、センサ装置１が組み立てられる。このとき、支持体２に設けられた第１開口部２３１とカバー３に設けられた第２開口部３３１とが同じ向き（下向き）となるようにした状態で、支持体２にカバー３が取り付けられる。
【００４１】
支持体２にカバー３が取り付けられた状態では、支持体２の第１側壁部２２とカバー３の第１側面部３２とが対向し、かつ支持体２の第２側壁部２３とカバー３の第２側面部３３とが対向している。また、支持体２にカバー３が取り付けられた状態では、第１開口部２３１の一部である大開口部２３１ｂと第２開口部３３１とが上下方向において重なっている（図２参照）。さらに、支持体２にカバー３が取り付けられた状態では、第２突起３３２が第２引掛部２３２の前端縁に引っ掛かり、第１突起３２１が第１引掛部２２１の前端縁に引っ掛かっている。また、支持体２にカバー３が取り付けられた状態では、基板５は、支持体２側の複数の支持部２１１とカバー３側の複数の支持突起３１１とで前後方向に挟まれており、これにより基板５がケース４に保持される。
【００４２】
図６は、基板５を支持する支持体２にカバー３が取り付けられた状態の断面図である。この状態では、基板５は、支持体２に設けられた複数の支持部２１１とカバー３に設けられた複数の支持突起３１１とで保持されている。また、この状態では、基板５の第２面５２に実装されたコネクタ７は、支持体２の対向部２１に設けられた露出孔２１２内に配置されている。さらに、この状態では、カバー３の底面部３１から突出する突起部３１３は、基板５の第１面５１に接触している。
【００４３】
ところで、基板５に実装されたコネクタ７には、上述したように、外部電源に電気的に接続された給電側コネクタが接続される。このとき、本実施形態の支持体２及びカバー３のように、前後方向の寸法（深さ寸法）が大きい場合、コネクタ７までの距離が長く、作業性がよくないため、給電側コネクタとコネクタ（受電側コネクタ）７との間で接触不良が起こる可能性がある。そこで、本実施形態では、上述したように、支持体２に第１開口部２３１を設け、かつカバー３に第２開口部３３１を設けている。これらの第１開口部２３１及び第２開口部３３１を設けることで、コネクタ７までの距離を短くすることができ、その結果、給電側コネクタの接続作業性が低下するのを抑えることができ、さらに給電側コネクタとコネクタ７との間の接触不良も抑えることができる。
【００４４】
また、本実施形態のセンサ装置１では、前後方向においてコネクタ７と重なる位置に突起部３１３が設けられている。そのため、コネクタ７に給電側コネクタを接続する際に基板５に加えられる力を突起部３１３により支えることができ、その結果、基板５が前後方向（厚み方向）に撓むのを抑えることができる。
【００４５】
ここで、本実施形態のセンサ装置１では、センサ装置１を組み立てた後で、例えば基板５の不具合によって基板５を交換する場合が想定される。この場合、支持体２からカバー３を取り外して、基板５を交換しなければならない。以下、支持体２からカバー３を取り外す方法について図７Ａ及び図７Ｂを参照して説明する。図７Ａ及び図７Ｂは、本実施形態のセンサ装置１の要部を示す断面図である。
【００４６】
支持体２にカバー３が取り付けられた状態では、第１側壁部２２の第１引掛部２２１に第１側面部３２の第１突起３２１が引っ掛かっている（以下、この状態を係止状態という。）。また、支持体２にカバー３が取り付けられた状態では、第２側壁部２３の第２引掛部２３２に第２側面部３３の第２突起３３２が引っ掛かっている。
【００４７】
最初に、施工者は、第１側壁部２２の第１引掛部２２１に第１解除用治具９Ａを差し込む（図７Ａ参照）。第１解除用治具９Ａは、例えばマイナスドライバである。第１引掛部２２１の長手方向に沿って第１解除用治具９Ａが前向き（図７Ａ中の矢印Ａ１の向き）に差し込まれることで、第１側壁部２２と第１側面部３２とが互いに離れる方向に撓み、その結果、第１突起３２１と第１引掛部２２１との係止状態が解除される。本実施形態では、上述のステップが取り外し方法における１つ目のステップである。
【００４８】
次に、施工者は、第１引掛部２２１に第１解除用治具９を差し込んだ状態で、第２側壁部２３と第２側面部３３との間に第２解除用治具９Ｂを差し込む（図７Ｂ参照）。第２解除用治具９Ｂは、例えば、第１解除用治具９Ａと同じマイナスドライバである。第２側壁部２３と第２側面部３３との間に第２解除用治具９Ｂが差し込まれることで、第２突起３３２と第２引掛部２３２との係止状態が解除される。本実施形態では、上述のステップが取り外し方法における２つ目のステップである。
【００４９】
そして最後に、施工者は、第２側壁部２３の解除部２３３の後端に第２解除用治具９Ｂの先端を引っ掛けた状態で、第２側面部３３から離れる向き（図７Ｂ中の矢印Ａ２の向き）に第２解除用治具９Ｂを回転させる。このとき、第２解除用治具９Ｂから第２側面部３３に作用するモーメントによって支持体２が回転し、その結果、カバー３から支持体２が取り外される。本実施形態では、上述のステップが取り外し方法における３つ目のステップである。
【００５０】
本実施形態のセンサ装置１によれば、上述のように、第１解除用治具９Ａ及び第２解除用治具９Ｂを用いることにより、支持体２からカバー３を容易に取り外すことができる。特に、本実施形態のように、解除部２３３が差込溝２３３０である場合には、差込溝２３３０に差し込まれた第２解除用治具９Ｂの先端を回転中心として回転させることにより、支持体２からカバー３を容易に取り外すことができる。
【００５１】
以下、実施形態１の照明器具１０及びセンサ装置１の変形例について説明する。
【００５２】
上述の実施形態１で説明した照明器具１０は一例であって、照明器具は、例えば停電等の非常時に点灯する非常用光源を一体に備えた階段通路誘導灯であってもよい。
【００５３】
上述の実施形態１で説明した支持体２は一例であって、支持体２は、例えば図８に示すように第１側壁部２２及び第２側壁部２３のみであってもよい。言い換えると、第３側壁部２４及び第４側壁部２５が省略されていてもよい。つまり、支持体２は、少なくとも第１側壁部２２と第２側壁部２３とを有していればよい。
【００５４】
また、上述の実施形態１では、カバー３の第１側面部３２に第１突起３２１が設けられ、支持体２の第１側壁部２２に第１突起３２１が引っ掛かる第１引掛部２２１が設けられているが、逆であってもよい。つまり、支持体２の第１側壁部２２に第１突起が設けられ、カバー３の第１側面部３２に第１引掛部が設けられていてもよい。また、第２突起及び第２引掛部についても、支持体２の第２側壁部２３に第２突起が設けられ、カバー３の第２側面部３３に第２引掛部が設けられていてもよい。
【００５５】
さらに、上述の実施形態１では、第１解除用治具９Ａ及び第２解除用治具９Ｂがマイナスドライバである場合を例として説明したが、第１解除用治具９Ａ及び第２解除用治具９Ｂはマイナスドライバに限らない。第１解除用治具９Ａについては、第１側壁部２２の第１引掛部２２１に差し込むことで、第１突起３２１と第１引掛部２２１との係止状態が解除されるようになっていればよく、例えば針金等であってもよい。また、第２解除用治具９Ｂについては、第２側壁部２３の解除部２３３に先端を引っ掛けた状態で回転させることにより、第２突起３３２と第２引掛部２３２との係止状態が解除され、かつ支持体２がカバー３から外れるようになっていればよい。
【００５６】
また、上述の実施形態１では、第１突起３２１が引掛けられる第１引掛部２２１に第１解除用治具９Ａを差し込むように構成されているが、例えば第１解除用治具９Ａが差し込まれる解除用の溝が、第１引掛部２２１とは別に設けられていてもよい。
【００５７】
（実施形態２）
実施形態２のセンサ装置１について、図９Ａ及び図９Ｂを参照して説明する。上述の実施形態１では、支持体２からカバー３を取り外す際に２つの第１解除用治具９Ａ及び第２解除用治具９Ｂを用いている。これに対して、本実施形態では、第２解除用治具９Ｂの代わりに、カバー３の第２側面部３３に設けられた摘み片３３３０を用いて、支持体２からカバー３を取り外すように構成されている。なお、それ以外の構成については実施形態１と同様であり、同一の構成要素には同一の符号を付して説明を省略する。
【００５８】
本実施形態のセンサ装置１は、ケース４と、基板５とを備えている。ケース４は、支持体２と、カバー３とを含む。
【００５９】
カバー３は、図９Ａ及び図９Ｂに示すように、第２突起３３２と、解除部３３３とを有している。第２突起３３２は、第２側面部３３の内周面（第２側壁部２３との対向面）から上向き（第２側壁部２３に近づく向き）に突出した三角状である。解除部３３３は、第２側面部３３の後端縁（図９Ａ中の上端縁）から後方に突出する板状の摘み片３３３０である。
【００６０】
第２側壁部２３は、図９Ａ及び図９Ｂに示すように、第２引掛部２３２を有している。第２引掛部２３２は、左右方向に沿った断面形状が三角状の溝である。支持体２にカバー３が取り付けられた状態では、第２引掛部２３２の前端縁に第２突起３３２が引っ掛かっている（図９Ａ参照）。
【００６１】
次に、支持体２からカバー３を取り外す手順について、図９Ａ及び図９Ｂを参照して説明する。なお、支持体２にカバー３が取り付けられた状態では、第２側壁部２３の第２引掛部２３２の前端縁に、第２側面部３３の第２突起３３２が引っ掛かっている（図９Ａ参照）。
【００６２】
最初に、施工者は、第１側壁部２２に設けられた第１引掛部２２１に第１解除用治具９Ａを差し込んで、第１側壁部２２と第１側面部３２とを互いに離れる向きに撓ませる。これにより、第１突起３２１と第１引掛部２２１との係止状態が解除される。
【００６３】
次に、施工者は、第１解除用治具９Ａにより第１突起３２１と第１引掛部２２１との係止状態を解除した状態で、第２側面部３３の摘み片３３３０を下向き（図９Ａ中の矢印Ａ３の向き）に引っ張り、第２側壁部２３から離れる向きに第２側面部３３を撓ませる。これにより、第２突起３３２と第２引掛部２３２との係止状態が解除される。
【００６４】
そして最後に、施工者は、第１突起３２１と第１引掛部２２１との係止状態、及び第２突起３３２と第２引掛部２３２との係止状態が解除された状態で、支持体２を後方（図９Ｂ中の矢印Ａ４の向き）に引っ張る。これにより、支持体２からカバー３が取り外される。
【００６５】
本実施形態のセンサ装置１によれば、摘み片３３３０によって第２側壁部２３から離れる向きに第２側面部３３を撓ませるだけで、第２突起３３２と第２引掛部２３２との係止状態を解除することができる。そのため、支持体２の第２側壁部２３に設けられた解除部２３３に第２解除用治具９Ｂを差し込む場合に比べて、作業性が更に向上するという利点がある。
【００６６】
以下、実施形態２のセンサ装置１の変形例について説明する。
【００６７】
上述の実施形態２では、摘まみ片３３３０が第２側面部３３に設けられている場合を例として説明したが、摘み片は第２側壁部２３に設けられていてもよい。
【００６８】
また、上述の実施形態２で説明した第２突起３３２及び第２引掛部２３２の形状は一例であって、第２側壁部２３と第２側面部３３とが引っ掛かるようになっていれば他の形状であってもよい。
【００６９】
さらに、本実施形態で説明した構成は、実施形態１の変形例とも、適宜組み合わせて適用可能である。
【００７０】
（実施形態３）
実施形態３のセンサ装置１及び取り外し用治具１４について、図１０を参照して説明する。上述の実施形態１では、別々に設けられた２つの第１解除用治具９Ａ及び第２解除用治具９Ｂを用いて、支持体２からカバー３を取り外す場合を例として説明した。これに対して、本実施形態では、第１解除用治具と第２解除用治具とが一体に形成された取り外し用治具１４を用いて、支持体２からカバー３を取り外すように構成されている。なお、それ以外の構成については実施形態１と同様であり、同一の構成要素には同一の符号を付して説明を省略する。
【００７１】
本実施形態のセンサ装置１は、ケース４と、基板５とを備えている。ケース４は、支持体２と、カバー３とを含む。本実施形態のセンサ装置１では、図１０に示すように、取り外し用治具１４を用いて支持体２からカバー３を取り外す。
【００７２】
取り外し用治具１４は、例えば鉄などの金属材料により左右方向から見た形状がＵ字状に形成されている。取り外し用治具１４は、第１差込片１４１と、第２差込片１４２と、連結片１４３とを有している。
【００７３】
第１差込片１４１は、前後方向に長い丸棒状である。第１差込片１４１の外径寸法は、第１側壁部２２に設けられた第１引掛部２２１の上下寸法（深さ寸法）よりも大きい。そのため、第１引掛部２２１に第１差込片１４１を差し込むことにより、第１側壁部２２及び第１側面部３２を互いに離れる方向に撓めることができ、その結果、第１突起３２１と第１引掛部２２１との係止状態を解除することができる。ここで、第１差込片１４１は、実施形態１で説明した第１解除用治具９Ａに相当する。
【００７４】
第２差込片１４２は、第１差込片１４１と同様に、前後方向に長い丸棒状である。第２差込片１４２の先端（前端）には、円錐状の引掛突起１４２１が一体に設けられている。この引掛突起１４２１は、第２側壁部２３と第２側面部３３との間に差し込まれ、第２側壁部２３に設けられた解除部２３３の後端縁に引っ掛けられる。第２差込片１４２は、第１差込片１４１よりも短い。第２差込片１４２の外径寸法は、第２側壁部２３と第２側面部３３との間に第２差込片１４２が差し込まれた状態で、第２突起３３２と第２引掛部２３２との係止状態が解除される寸法である。ここで、第２差込片１４２は、実施形態１で説明した第２解除用治具９Ｂに相当する。
【００７５】
連結片１４３は、第１差込片１４１と第２差込片１４２とを連結する。連結片１４３の長さ寸法は、支持体２の上下方向の寸法とほぼ同じである。
【００７６】
次に、取り外し用治具１４を用いて、支持体２からカバー３を取り外す手順について説明する。
【００７７】
施工者は、支持体２の第１側壁部２２に設けられた第１引掛部２２１に取り外し用治具１４の第１差込片１４１を差し込む。このとき、第１側壁部２２と第１側面部３２とが互いに離れる向きに撓むことで、第１突起３２１と第１引掛部２２１との係止状態が解除される。
【００７８】
続けて、施工者は、第２側壁部２３と第２側面部３３との間に第２差込片１４２を差し込んで、第２差込片１４２の先端に設けられた引掛突起１４２１を解除部２３３の後端縁に引っ掛ける。このとき、第２側壁部２３と第２側面部３３とが互いに離れる向きに撓むことで、第２突起３３２と第２引掛部２３２との係止状態が解除される。
【００７９】
そして最後に、施工者は、連結片１４３を持って取り外し用治具１４を後方（図１０中の矢印Ａ５の向き）に引き上げる。このとき、第１突起３２１と第１引掛部２２１との係止状態、及び第２突起３３２と第２引掛部２３２と係止状態が解除されているため、取り外し用治具１４を上向きに引き上げることにより、カバー３から支持体２を取り外すことができる。
【００８０】
本実施形態の取り外し用治具１４によれば、第１引掛部２２１に第１差込片１４１を差し込み、かつ解除部２３３に第２差込片１４２の引掛突起１４２１を引っ掛けた状態で、取り外し用治具１４を引っ張ることで支持体２からカバー３を取り外すことができる。つまり、本実施形態の取り外し用治具１４によれば、２つの第１解除用治具９Ａ及び第２解除用治具９Ｂを用いて支持体２からカバー３を取り外す場合に比べて作業性を向上させることができる。
【００８１】
以下、実施形態３の取り外し用治具１４の変形例について説明する。
【００８２】
上述の実施形態３では、取り外し用治具１４を金属材料により形成しているが、取り外し用治具の材料は金属に限らず、第１側壁部２２と第１側面部３２との間、及び第２側壁部２３と第２側面部３３との間に差し込める強度を有していればよい。したがって、例えばアクリル樹脂のような高強度の合成樹脂により取り外し用治具１４が形成されていてもよい。
【００８３】
また、上述の実施形態３では、第２差込片１４２の先端に設けられた引掛突起１４２１を解除部２３３の後端縁に引っ掛けているが、第２差込片１４２は、第１差込片１４１と同様に、第２引掛部２３２に差し込まれる構成であってもよい。
【００８４】
さらに、上述の実施形態３で説明した取り外し用治具１４の形状は一例であって、第１差込片と第２差込片とが連結片を介して一体に構成されている形状であれば他の形状であってもよい。
【００８５】
また、本実施形態で説明した構成は、実施形態１の変形例又は実施形態２の変形例とも、適宜組み合わせて適用可能である。
【００８６】
以上述べた実施形態から明らかなように、第１の態様のセンサ装置１は、合成樹脂からなるケース４と、ケース４に収納される基板５とを備える。ケース４は、基板５を支持する支持体２と、支持体２に支持された基板５を覆うように支持体２に取り付けられるカバー３とを含む。支持体２は、基板５と対向する矩形の対向部２１と、対向部２１の対向する二辺から基板５と反対側に突出する第１側壁部２２及び第２側壁部２３とを有する。カバー３は、基板５と対向する矩形の底面部３１と、底面部３１の対向する二辺から基板５側に突出する第１側面部３２及び第２側面部３３とを有する。支持体２及びカバー３は、支持体２にカバー３が取り付けられた状態で、第１側壁部２２と第１側面部３２とが対向し、かつ第２側壁部２３と第２側面部３３とが対向するように構成されている。第１側壁部２２と第１側面部３２との一方には、他方側に突出する第１突起３２１が設けられている。第１側壁部２２と第１側面部３２との他方には、第１突起３２１が引っ掛けられる第１引掛部２２１が設けられている。第２側壁部２３と第２側面部３３との一方には、他方側に突出する第２突起３３２が設けられている。第２側壁部２３と第２側面部３３との他方には、第２突起３３２が引っ掛けられる第２引掛部２３２が設けられている。第２側壁部２３と第２側面部３３との一方は、解除部２３３を有する。解除部２３３は、第２突起３３２が第２引掛部２３２から外れるように第２側壁部２３と第２側面部３３との間隔を広げる向きの力を、第２側壁部２３と第２側面部３３との少なくとも一方に作用させるように構成されている。
【００８７】
第１の態様によれば、解除部２３３によって第２側壁部２３と第２側面部３３との間隔を広げる向きの力を、第２側壁部２３と第２側面部３３との少なくとも一方に作用させることができる。これにより、第２突起３３２と第２引掛部２３２との係止状態を解除することができるので、第１突起３２１と第１引掛部２２１との係止状態が解除されていれば、支持体２からカバー３を容易に取り外すことができる。
【００８８】
第２の態様のセンサ装置１では、第１の態様において、解除部２３３は、第２側壁部２３と第２側面部３３との一方に設けられ、解除用治具（第２解除用治具９Ｂ）が差し込まれる差込溝２３３０である。
【００８９】
第２の態様によれば、差込溝２３３０に差し込まれた解除用治具によって第２突起３３２と第２引掛部２３２との係止状態を解除することができる。ただし、この構成はセンサ装置の必須の構成ではなく、解除部は、例えば第２側壁部２３と第２側面部３３との一方を貫通する貫通孔で構成されていてもよい。
【００９０】
第３の態様のセンサ装置１では、第１の態様において、解除部３３３は、第２側壁部２３と第２側面部３３との一方に一体に形成された摘み片３３３０である。
【００９１】
第３の態様によれば、摘み片３３３０によって第２側壁部２３と第２側面部３３との間隔を広げることで第２突起３３２と第２引掛部２３２との係止状態を解除することができる。ただし、この構成を採用するか否かは任意である。
【００９２】
第４の態様の照明器具１０は、センサ装置１と、センサ装置１を保持する器具本体１２とを備えている。
【００９３】
第４の態様によれば、上述のセンサ装置１を用いているので、支持体２からカバー３を容易に取り外すことができる。
【００９４】
第５の態様の取り外し治具１４は、センサ装置１に用いられる。この取り外し用治具１４は、第１引掛部２２１に差し込まれる第１差込片１４１と、差込溝２３３０に差し込まれる解除用治具としての第２差込片１４２と、第１差込片１４１と第２差込片１４２とを連結する連結片１４３とを備えている。
【００９５】
第５の態様によれば、第１引掛部２２１に第１差込片１４１を差し込み、差込溝２３３０に第２差込片１４２を差し込むことにより、第１突起３２１と第１引掛部２２１との係止状態、及び第２突起３３２と第２引掛部２３２との係止状態が解除される。そして、第１突起３２１と第１引掛部２２１との係止状態、及び第２突起３３２と第２引掛部２３２との係止状態が解除された状態で連結片１４３を引っ張ることにより、カバー３から支持体２を取り外すことができる。すなわち、第５の態様によれば、支持体２からカバー３を容易に取り外すことができる。
【００９６】
第６の態様の取り外し方法は、上述のセンサ装置１において支持体２からカバー３を取り外すための方法である。この取り外し方法は、３つのステップを備えている。１つ目のステップは、第１側壁部２２と第１側面部３２との間隔が広がるように第１引掛部２２１に第１解除用治具９Ａを差し込むステップである。２つ目のステップは、第２側壁部２３と第２側面部３３との間隔が広がるように第２側壁部２３と第２側面部３３との間に解除用治具としての第２解除用治具９Ｂを差し込むステップである。３つ目のステップは、差込溝２３３０の端縁に第２解除用治具９Ｂの先端を接触させて当該先端を回転中心として第２解除用治具９Ｂを回転させることでカバー３から支持体２を取り外すステップである。
【００９７】
第６の態様によれば、上記３つのステップを実行することにより、支持体２からカバー３を容易に取り外すことができる。
【符号の説明】
【００９８】
１  センサ装置
２  支持体（ケース）
２１  対向部
２２  第１側壁部
２２１  第１引掛部
２３  第２側壁部
２３２  第２引掛部
２３３  解除部
２３３０  差込溝（解除部）
３  カバー（ケース）
３１  底面部
３２  第１側面部
３２１  第１突起
３３  第２側面部
３３２  第２突起
３３３  解除部
３３３０  摘み片（解除部）
４  ケース
５  基板
９Ａ  第１解除用治具
９Ｂ  第２解除用治具（解除用治具）
１０  照明器具
１２  器具本体
１４  取り外し用治具
１４１  第１差込片
１４２  第２差込片
１４３  連結片
【図１】
2018101550.tif 000003
【図２】
2018101550.tif 000004
【図３】
2018101550.tif 000005
【図４】
2018101550.tif 000006
【図５】
2018101550.tif 000007
【図６】
2018101550.tif 000008
【図７】
2018101550.tif 000009
【図８】
2018101550.tif 000010
【図９】
2018101550.tif 000011
【図１０】
2018101550.tif 000012